(57)【要約】　　　（修正有）【課題】現在、電子著作物の配信・配布には、その再生ソフトに依って異なった保護方法を用いており、又、配信・配布における保護方法が不十分である為、配信側の希望する著作内容及び、ユーザーに対する課金、時間、期間、回数などの使用規制情報に対するプログラム保護が必要である。【解決手段】複数の電子著作物を、ダミーファイル内に暗号化して書き込み、これを一括して保護すると共に、それぞれの専用又は、用途に合ったソフトにて再生を可能とする。また、ダミーのデジタルファイル内に著作物と共に各種制御情報（例えば、回数制限、利用期限及び利用時間制限、課金システムなど）を暗号化して設定することにより、利用者に対する各種使用上の制限設定を可能にすると共に著作内容のコピー、各種制限情報の設定変更を出来なくした。【選択図】図１
2004005008.tif 000002
【特許請求の範囲】
【請求項１】
暗号技術を使用してダミーのデジタルファイルに単体又は、複数の電子著作物（例えば、画像ファイル、音楽ファイル、動画ファイル及び、テキスト形式のファイル等）を暗号化し書き込み、複合再生技術を利用して、このダミーのデジタルファイルよりこれらの電子著作物を、それぞれのデータ形式に使用されている適合した形で直接取り出し再生を行うことを特徴とする電子著作物配信・配布時における著作内容の保護方法。
【請求項２】
暗号技術を使用してダミーのデジタルファイルに電子著作物と、制御情報（例えば、利用回数制限、利用期限及び利用時間制限、課金システムなど）を暗号化して書き込み、これらの電子著作物を配信・配布し、利用者による各種制限情報の設定変更を不可能にすると共に、利用者が著作内容を複合再生する際の使用制限を、各種付与設定する事を特徴とする電子著作物の配信・配布方法。
【発明の詳細な説明】
【０００１】
【発明の属する技術分野】
本発明は、電子著作物（例えば、画像ファイル、音楽ファイル、動画ファイル及び、テキスト形式のファイル等）をインターネットなどのネットワークまたは、電子記憶媒体（現在では、ＣＤ−ＲＯＭ及びＤＶＤなど）を使用して配信・配布する際における、電子著作物の著作内容を保護する技術であると共に、ユーザーに対して配給者側の希望する各種の制限及び、規制（例えば、利用回数制限、利用期限及び利用時間制限）及び、課金システムを実現する技術に関する。
【０００２】
【従来の技術】
従来、さまざまな電子著作物の保護方法を適用して、例えば、暗号技術、電子透かし技術、圧縮技術及び、ストリーミング配信等を用いて保護された電子著作物を配信・配布している。
【０００３】
【発明が解決しようとする課題】
現在は、電子著作物配布及び配信の際、その種類によって各種異なる保護方法を用いなくてはならないので、新しい電子著作物に際して、新しい保護方法を開発する必要がある。
また、現状ではインターネットなどのネットワーク及び電子記憶媒体等を使用して電子著作物を配信・配布しているのが著作物保護の方策が不十分である事、及び配給者がユーザーの利用する電子著作物に対して希望する各種利用制限を設けることが出来ず商業的なネット配信をするに至っていない。
【０００４】
【課題を解決するための手段】
本発明は、ダミーのデジタルファイル内に電子著作物を暗号化し書き込み、配信・配布し、著作内容はそれぞれの専用、または、用途に合った再生ソフトにて再生することが可能である。従って、新しい電子著作物に対して新しい保護方法の開発を不要とした。
また、ダミーのデジタルファイル内に電子著作物と各種制御情報（例えば、利用回数制限、利用期限及び、利用時間制限、課金システムなど）を暗号化して設定し、これらの著作内容を複合再生すると同時に、利用者に対して使用制限を設けて各種の規制を実行することを可能とした。これによって、配給者側が各種製品の販売、価格及び商売上の各種規制その他、利用者に対する各種使用上の制限設定を可能にした。また、同時に著作内容のコピー、各種制限情報の設定変更を出来なくした。
【０００５】
【発明の実施の形態】
以下に、図面を参照して本発明の実施形態を詳細に説明する。
図１は、本発明を音楽配信システムに適用した場合のブロック図である。
まず、配信サーバー側では、暗号化ソフト１３を使用し、音楽ファイル１０及び、制御情報１２（例えば、利用回数制限、利用期限及び利用時間制限、課金システムなど）を画像ファイル１１（ダミーのデジタルファイル）内に暗号化し書込み、画像ファイル１４が作成される。
【０００６】
音楽ファイルの再生は、利用ユーザー側に配信された画像ファイル１６を複合再生プログラム１７で複合化し読込むことにより、音楽ファイル１８が再生される。
また、複合再生プログラム１７は、画像ファイル１６内の制御情報１９を複合化し読取り音楽ファイル１８の再生時に利用回数、利用期限、及び、利用時間制限、課金等を実施することが可能となる。
【０００７】
図２は、複合再生プログラム１７が音楽ファイル１８を再生するフローチャートであり、
実際に著作物保護と各種利用制限（例えば、利用回数制限、利用期限及び利用時間制限、課金システムなど）の実現方法を説明する。
利用ユーザーは、複合再生プログラム１７を実行し、入力ファイルとして配信された画像ファイル１６を使用する（図２ステップＳ１）
画像ファイル読込み後、あらかじめ暗号化された制御情報１９を複合化し読取り、（図２ステップＳ２）利用することにより、各種利用制限（例えば、利用回数制限、利用期限及び利用時間制限、課金システムなど）を以下のような形式で実施することが出来る。
【０００８】
複合化し読込んだ制御情報１９（図２ステップＳ２）を元に、各種利用制限（利用回数制限、利用期限制限及び課金制限）のチェックを行う。（図２ステップＳ３）
各種利用制限を過ぎている場合は、利用制限オーバーのメッセージを表示し（図２ステップＳ４）、最初の画像ファイル読み込み（図２ステップＳ１）に戻る。各種利用制限を過ぎていない場合は、音楽ファイル１８をメモリー上に展開する。（図２ステップＳ５）
【０００９】
メモリー上に展開された音楽ファイル１８を複合再生プログラム１７で再生する。（図２ステップＳ６）再生中に利用時間の制限チェックを行うため、複合化し読込んだ制御情報（図２ステップＳ２）を元に現在が時間制限内かチェックを行う。（図２ステップＳ２）
時間制限を過ぎていた場合は、音楽再生を中止し（図２ステップＳ８）、最初の画像ファイル読み込み（図２ステップＳ１）に戻る。
時間制限内の場合は、引き続き音楽データを再生する。（図２ステップＳ９）
【００１０】
利用者によって終了行為を行った場合終了する。（図２ステップＳ１０）
【００１１】
【発明の効果】
この発明により、あらかじめ規制するデータを制御情報として、ダミーのデジタルファイル（画像ファイル）に暗号化して書込んでおくことにより、再生プログラムが再生時に制御情報を取り出しユーザーに対して利用回数制限・利用期間制限・課金制限・利用時間制限などの使用制限をかけることが可能になる。
暗号化された電子著作物は、再生時にコンピュータのメモリー上にのみ展開されることから、複製・加工を不可能にする為、著作物の保護が可能となった。
また、本発明では、保護する著作物のデータ形式にとらわれることがないため、新しいデータ形式の電子著作物が紹介された場合に、その新しい電子著作物にあった再生ソフトを作成するだけで、新しい電子著作物保護の方法を検討しなくても、著作物の保護をすることが可能となった。
【図面の簡単な説明】
【図１】本発明を音楽配信システムに適用した場合のブロック図である。
【図２】再生ソフトが音楽ファイルを再生するフローチャートである。
【符号の説明】
１０　音楽ファイル
１１　画像ファイル
１２　制御情報
１３　暗号化ソフト
１４　画像ファイル
１５　ネットワーク
１６　画像ファイル
１７　再生ソフト
１８　音楽再生
【図１】
2004005008.tif 000003
【図２】
2004005008.tif 000004
【手続補正書】
【提出日】平成15年7月16日(2003.7.16)
【手続補正１】
【補正対象書類名】明細書
【補正対象項目名】全文
【補正方法】変更
【補正の内容】
【発明の詳細な説明】
【特許請求の範囲】
【請求項１】暗号化技術を使用し、ダミーのデジタルファイルに複数の電子著作物（例えば、画像ファイル、音楽ファイル、動画ファイル及び、テキスト形式のファイル等）を暗号化し書き込み、複合再生技術を利用して、電子著作物が保護された形のままの状態でそれぞれのデータ形式に適合した形で抽出し再生を行うことを特徴とする電子著作物配布時における著作内容の保護方法。
【請求項２】暗号技術を利用してダミーのデジタルファイルに電子著作物と、制御情報（例えば、利用回数制限、利用期限及び、利用時間制限、課金システムなど）を暗号化して書き込み、これらの電子著作物を配信・配布し、利用者による各種制限情報の設定変更を不可能とすると共に、利用者が著作内容を複合再生する際の使用制限を、各種付与設定する事を特徴とする電子著作物の配信・配布方法。
【発明の詳細な説明】
【０００１】
【発明の属する技術分野】
本発明は、電子著作物（例えば、画像ファイル、音楽ファイル、動画ファイル及び、テキスト形式のファイル等）をインターネットなどのネットワークまたは、電子記憶媒体（現在では、ＣＤ−ＲＯＭ及びＤＶＤなど）を使用して配信・配布する際における、電子著作物の著作内容を保護する技術であると共に、ユーザーに対して配給者側の希望する各種の制限及び規制（例えば、利用回数制限、利用期限及び利用時間制限）及び、課金システムを実現する技術に関する。
【０００２】
【従来の技術】
従来、さまざまな電子著作物の保護方法を適用して、例えば、暗号技術、電子透かし技術、圧縮技術及び、ストリーミング配信等を用いて保護された電子著作物を配信・配布している。
【０００３】
【発明が解決しようとする課題】
現在は、電子著作物配布及び配信の際、その種類によって各種異なる保護方法を用いなくてはならないので、新しい電子著作物に際して、新しい保護方法を開発する必要がある。
また、現状ではインターネットなどのネットワーク及び電子記憶媒体等を使用して電子著作物を配信・配布しているのが著作物保護の方策が不十分である事、及び配給者がユーザーの利用する電子著作物に対して希望する各種利用制限を設けることが出来ず商業的なネット配信をするに至っていない。
【０００４】
【課題を解決するための手段】
本発明は、ダミーのデジタルファイル内に電子著作物を暗号化し書き込み、配信・配布し、再生時にユーザーがアクセスできないコンピュータのメインメモリ上（コンピュータのメインメモリのみにデータを展開するとユーザーが直接参照することができないため著作権保護が可能）に展開することが可能である。従って展開後は、著作内容はそれぞれの専用、または、用途にあった再生ソフトにて再生することが可能となるため、新しい電子著作物に対しての新しい保護方法の開発を不要とした。
また、ダミーのデジタルファイル内に電子著作物と各種制限情報（例えば、利用回数制限、利用期限及び、利用時間制限、課金システムなど）を暗号化して設定し、これらの著作内容を再生すると同時に、利用者に対して使用制限を設けて各種の規制を実行することを可能とした。これによって、配給者側が各種製品の販売、価格及び商売上の各種規制その他、利用者に対する各種使用上の制限設定を可能にした。また、同時に著作内容のコピー、各種制限情報の設定変更を出来なくした。
【０００５】
【発明の実施の形態】
以下に、図面を参照して本発明の実施形態を詳細に説明する。
図１は、本発明を音楽配信システムに適用した場合のブロック図である。
まず、配信サーバー側では、暗号化ソフト１３を使用し、音楽ファイル１０及び、制御情報１２（例えば、利用回数制限、利用期限及び利用時間制限、課金システムなど）を画像ファイル１１（ダミーのデジタルファイル）内に暗号化し書込み画像ファイル１４が作成される。
【０００６】
音楽ファイルの再生は、利用ユーザー側に配信された画像ファイル１６を複合再生プログラム１７で複合化し読込むことにより、音楽ファイル１８が再生される。
また、再生プログラム１７は、画像ファイル１６内の制御情報１９を複合化し読取り音楽ファイル１８の再生時に利用回数、利用期限、及び、利用時間制限、課金等を実施することが可能となる。
【０００７】
図２は、再生プログラム１７が音楽ファイル１８を再生するフローチャートであり、
実際の著作物保護と各種利用制限（例えば、利用回数制限、利用期限及び利用時間制限、課金システムなど）の実現方法を説明する。
利用ユーザーは、複合再生プログラム１７を実行し、入力ファイルとして配信された画像ファイル１６を使用する（図２ステップＳ１）
画像ファイル読込み後、あらかじめ暗号化された制御情報１９を複合化し読取り、（図２ステップＳ２）利用することにより、各種利用制限（例えば、利用回数制限、利用期限及び利用時間制限、課金システムなど）を以下のような形式で実施することが出来る。
【０００８】
複合化し読込んだ制御情報１９（図２ステップＳ２）を元に、各種利用制限（利用回数制限、利用期限制限及び課金制限）のチェックを行う。（図２ステップＳ３）
各種利用制限を過ぎている場合は、オーバーのメッセージを表示し（図２ステップＳ４）、最初の画像ファイル読込み（図２ステップＳ１）に戻る。
各種利用制限を過ぎていない場合は、音楽ファイル１８をメインメモリ上に展開する。（図２ステップＳ５）
【０００９】
メインメモリ上に展開された音楽ファイル１８を複合再生プログラム１７で再生する。（図２ステップＳ６）再生中に利用時間の制限チェックを行うため、読込んだ制御情報（図２ステップＳ２）を元に現在が時間制限内かチェックを行う。（図２ステップＳ２）
時間制限を過ぎていた場合は、音楽再生を中止し（図２ステップＳ８）、最初の画像ファイル読み込み（図２ステップＳ１）に戻る。
時間制限内の場合は、引き続き音楽データを再生する。（図２ステップＳ９）
【００１０】
利用者によって終了行為を行った場合終了する。（図２ステップＳ１０）
【００１１】
【発明の効果】
この発明により、暗号化された電子著作物は、再生時にユーザーがアクセスできないコンピュータのメモリ上のみに展開されることから、複製・加工を不可能にする為、著作物の保護が可能となった。
また、本発明では、ダミーのデジタルファイル（画像ファイル）に、あらかじめ規制するデータを制御情報として書き込んでおくことにより、再生プログラムが再生時に制御情報を取り出しユーザーに対して利用回数制限・利用期限制限・利用時間制限・課金制限などの使用制限をかけることが可能になる。
なお、本発明では、保護する著作物のデータ形式にとらわれることがないため、新しいデータ形式の電子著作物が紹介された場合に、その新しい電子著作物にあった再生ソフトを作成するだけで、その新しい電子著作物の保護方法を検討しなくても、著作物の保護が可能となった。
【図面の簡単な説明】
【図１】本発明を音楽配信システムに適用した場合のブロック図である。
【図２】再生ソフトが音楽ファイルを再生するフローチャートである。
【符号の説明】
１０　音楽ファイル
１１　画像ファイル
１２　制御情報
１３　暗号化ソフト
１４　画像ファイル
１５　ネットワーク
１６　画像ファイル
１７　再生ソフト
１８　音楽ファイル